(57)【要約】個人用の押出し容器型分与器は、プッシュ／プル弁を有する押出し容器を収容するようにしているクラムシェル形のハウジングを有する。前記ハウジングの中には、スライド機構が収容されている。このスライド機構は、その一方の端に設けられて前記プッシュ／プル弁と係合するカラーと、その他方の端に設けられて分与サイクルの終了により前記スライド機構の自動戻りを行うばねとを有する。前記ばねは、前記プッシュ／プル弁を閉じ位置へ偏倚せしめている。前記クラムシェル形のハウジングは、前記プッシュ／プル弁の開きを行うための前記スライド機構の親指状パッドのための開口及び前記押出しボトムへの圧力に適応するための開口を備えている形状とされている。また、前記親指状パッドと反対側の、前記ハウジングの後部には他の開口が設けられ、この他の開口は分与力を与えるために前記押出し容器に使用者の指が接近することを可能にする。
2009502316.tif 000002
【特許請求の範囲】
【請求項１】
個人用流体分与器において、空どうを限定するハウジングと、前記空どうの中に収容されている容器と、この容器により支持されて前記容器を開閉する弁と、前記ハウジングにより支持されて前記弁と係合するアクチュエータとを包含し、前記アクチュエータが人為的に操作されて前記弁を開閉するようにした個人用流体分与器。
【請求項２】
請求項１記載の個人用流体分与器において、前記弁がプッシュ／プル弁である個人用流体分与器。
【請求項３】
請求項２記載の個人用流体分与器において、前記アクチュエータがスライダーから成る個人流体分与器。
【請求項４】
請求項３記載の個人用流体分与器において、前記スライダーが、前記ハウジングの第１の窓を通して露出されている親指状パッドと、前記スライダーの第１の端に設けられて前記プッシュ／プル弁を支持しているカラーとを有している個人用流体分与器。
【請求項５】
請求項４記載の個人用流体分与器において、前記スライダーがその第２の端に設けられているばねを有し、このばねが前記プッシュ／プル弁を閉じ位置へ偏倚せしめている個人用流体分与器。
【請求項６】
請求項５記載の個人用流体分与器において、前記第１の窓が前記プッシュ／プル弁の開き位置と閉じ位置との間における前記親指状パッドの動きに適用するような大きさとされている個人用流体分与器。
【請求項７】
請求項６記載の個人用流体分与器において、前記ハウジングが前記第１の窓と反対側の、前記ハウジングの側部に拡大して設けられている第２の窓を有し、この第２の窓が前記容器を露出せしめて、使用者が指圧力を前記容器に対して加えることができるようにしている個人用流体分与器。
【請求項８】
請求項７記載の個人用流体分与器において、前記容器が十分にフレキシブルな材料の押出し容器から成っている個人用流体分与器。
【請求項９】
請求項８記載の個人用流体分与器において、前記ハウジングが十分に堅い個人用流体分与器。
【請求項１０】
請求項８記載の個人用流体分与器において、前記ハウジングが十分にフレキシブルであって、前記容器の押しつぶし変形に適応するようにした個人用流体分与器。
【請求項１１】
請求項８記載の個人用流体分与器において、前記ハウジングがクラムシェル形のハウジングであって、このクラムシェル形ハウジングが、その一方の側部に沿って設けられているヒンジと、その反対側の側部に沿って設けられているキャッチャ及びラッチ機構とを有している個人用流体分与器。
【請求項１２】
請求項８記載の個人用流体分与器において、前記ハウジングが更にこのハウジングに取り付けられている持運び具を包含し、この持運び具が個人による前記ハウジング及び前記容器の持運びに適応するようにしている個人用流体分与器。
【請求項１３】
個人用流体分与器において、ハウジングと、このハウジングにより支持されている押出し容器と、この押出し容器により支持されて前記押出し容器を開閉するプッシュ／プル弁と、前記ハウジングにより支持されて前記プッシュ／ブル弁と係合するスライダー式アクチュエータと、第１の端で前記スライダー式アクチュエータに接続されていると共に第２の端で前記ハウジングに接続されている戻しばねとを包含している個人用流体分与器。
【請求項１４】
請求項１３記載の個人用流体分与器において、前記戻しばねが前記スライダー式アクチュエータと一体に形成されている個人用流体分与器。
【請求項１５】
請求項１４記載の個人用流体分与器において、前記スライダー式アクチュエータが親指状パッドを有すると共に、前記ハウジングが前記親指状パッドを露出せしめる第１の開口を有し、この第１の開口が前記プッシュ／プル弁の開閉を行うための前記親指状パッド及び前記スライダー式アクチュエータの動きに適応するようにしている個人用流体分与器。
【請求項１６】
請求項１５記載の個人用流体分与器において、前記ハウジングが前記第１の開口を有する側部とは反対側の側部に設けられている第２の開口を有し、この第２の開口が前記押出し容器を露出せしめて、使用者が指圧力を前記押出し容器に対して加えることができるようにしている個人用流体分与器。
【請求項１７】
請求項１６記載の個人用流体分与器において、前記ハウジングがクラムシェルの形のハウジングである個人用流体分与器。
【請求項１８】
請求項１７記載の個人用流体分与器において、前記ハウジングがこのハウジングに取り付けられている持運び具を有している個人用流体分与器。
【請求項１９】
請求項１６記載の個人用流体分与器において、前記スライダー式アクチュエータが前記プッシュ／プル弁を入れ子式に支持しているカラーを有している個人用流体分与器。
【請求項２０】
請求項１９記載の個人用流体分与器において、前記親指状パッドが前記押出し容器に対してたわみ可能であって、分与圧力を前記押出し容器に対して加えることに適応するようにした個人用流体分与器。
【発明の詳細な説明】
【技術分野】
【０００１】
本発明は、例えばローション、石けん、消毒剤、同種物のような流体のための分与器の技術に属する。詳細には、本発明は使用を容易にするような大きさ及び形状とされている個人用のポータブル分与器に関する。より詳細には、本発明は閉じ位置へ偏倚されているプッシュ／プル弁を有する、個人用の押出し容器型分与器に関する。
【背景技術】
【０００２】
現在、種々の場所において、ローション、石けんの消毒剤を使用することが広く普及している。現在では、不衛生を防止するために適当な手衛生が必要であることを承知していることから、個人用のポータブル容器が知られていると共に一般的に用いられている。しかしながら、現在に知られている、個人用のポータブル容器は一般的に不便であり、持運び及び使用の便利さを与えていない。更に、現在知られている、個人用のポータブル容器は使用している閉鎖機構に関して信頼性がなく、したがって、偶然に容器が開いて液体内容物を分与せしめ、及び／又はこのような内容物が衣服、装身具、家具などにしたたり落ちることがある。
【０００３】
したがって、当分野においては、適当な手衛生を行うために適当なローション、石けんの消毒剤の使用を促進して不衛生の広がりを減少せしめるために、便利であって使用が容易でありかつ作動の信頼性があって耐久性がある、個人用の押出し容器型分与器が必要とされている。
【発明の開示】
【発明が解決しようとする課題】
【０００４】
上述したことに鑑み、本発明の主たる目的は運ぶこと及び使用することの両方が便利である、個人用の押出し容器型分与器を提供することにある。
【０００５】
本発明の他の目的は、偶然の開き及び分与をすることがない、個人用の押出し容器型の分与器を提供することにある。
【０００６】
本発明の更に他の目的は、分与器を開くために要求された力が解放されることに続いて、分与弁を確実に自動的に閉じる機能を有する、個人用の押出し容器型分与器を提供することにある。
【０００７】
本発明の更に他の目的は、押出し容器を交換することをたやすく行うことができる、個人用の押出し容器型分与器を提供することにある。
【０００８】
本発明の更に他の目的は、押出し容器の開き及び押出し容器からの液体の分与の両方を行うために単一の親指状パッドを用いている、個人用の押出し容器型分与器を提供することにある。
【課題を解決するための手段】
【０００９】
本発明の以上述べた目的及び詳細な説明が後述されることにより明らかになるであろう他の目的は、個人用流体分与器において、空どうを限定するハウジングと、前記空どうの中に収容されている容器と、この容器により支持されて前記容器を開閉する弁と、前記ハウジングにより支持されて前記弁と係合するアクチュエータとを包含し、前記アクチュエータが人為的に操作されて前記弁を開閉するようにした個人用流体分与器により達成される。
【００１０】
また、本発明のこれらの目的は、個人用流体分与器において、ハウジングと、このハウジングにより支持されている押出し容器と、この押出し容器により支持されて前記押出し容器を開閉するプッシュ／プル弁と、前記ハウジングにより支持されて前記プッシュ／ブル弁と係合するスライダー式アクチュエータと、第１の端で前記スライダー式アクチュエータに接続されていると共に第２の端で前記ハウジングに接続されている戻しばねとを包含している個人用流体分与器により達成される。
【００１１】
本発明の目的、技術及び構成を完全に理解するために、下記の詳細な説明及び添付図面が次に参照される。
【発明を実施するための最良の形態】
【００１２】
図面、特に図１−図３を参照するに、本発明にしたがって作った個人用の押出し容器型分与器が符号１０により総括的に示されていることを見ることができよう。分与器１０はハウジング１２を包含し、このハウジングはその中にボトル又は他の適当な容器１４を入れ子式に収容するようにしている。後で明らかになるように、容器１４は好適には押出し容器であり、この型式の容器は容器それ自体の押しつぶしにより容器内に収容している流体の分与を可能にする。容器１４はねじ切りした首部１６を有し、この首部はキャップ１８と螺合してキャップ１８を支持し、このキャップは適当なプッシュ／プル弁２０を首部１６内に固定する。当業者はプッシュ／プル弁２０の構造及び機能を容易に理解できるものであって、プッシュ／プル弁２０は、引っ込んだ位置では容器１４を閉じて内容物の分与を防止し、一方、伸長した位置では容器１４を開いて内容物を分与せしめるものである。
【００１３】
プッシュ／プル弁２０は、その一端に穴２２を有し、この穴が通路２４を通して容器１４の内部に連通していることを特徴とする。そして、弁２０が伸長した開き位置であるときには、液体が容器１４から通路２４及び穴２２を通して分与される。図１はプッシュ／プル弁２０が引っ込んだ閉じ位置である状態を示し、また図４ではこの引っ込んだ閉じ位置の弁２０が実線で示されていることを容易に理解されよう。一方、弁２０が伸長した開き位置である状態は図２に示され、また図４ではこの伸長した開き位置の弁２０が点線で示されている。
【００１４】
次に図３を参照するに、ハウジング１２及び関連するスライド作動部材の構造を理解することができるであろう。図示されるように、ハウジング１２は、クラムシェル形の設計であって、実質的に同一の２つのサイド部又は半割体１２ａ及び１２ｂを有し、これらの半割体は適当なヒンジ、例えばリビングヒンジと称されている関節ヒンジ２６の手段により相互接続されている。ヒンジの好適な実施例において、関節ヒンジ２６は単に薄いフィルムの材料から成り、この材料から２つの半割体１２ａ及び１２ｂもモールド成形される。勿論、任意の適当な他のヒンジを用いることもできる。ラッチ２８が２つの半割体の一方の設けられていると共に、キャッチャ３０が他方の半割体に設けられ、このようなラッチとキャッチャとの相互係合は設計者の選択事項である。
【００１５】
クラムシェル形のハウジング１２は、上述した容器アクチュエータ１４−２４を入れ子式に収容するような形状とした空どう３２を限定する。ハウジング１２の半割体１２ｂには後部窓３４が設けられ、この後部窓は容器１４の表面への使用者の手の容易な接近を可能にする。ハウジング１２の半割体１２ａには２つの側部窓３６が設けられ、これらの側部窓は分与器１０の側部側から容器１４の表面への使用者の手の簡易な接近を可能にする。これらの窓３４及び３６は、容器１４がほとんど空になり交換する用意をするかどうかと、使用者が容器１４の内容物の状態を観察することを可能にする。更に、後部窓３４は所望したときに分与を行うために使用者の手の指が押出し容器１４に接近して容器１４を圧縮せしめるための区域を提供する。同様に、ハウジング１２の半割体１２ａの側部窓３６は所望したときに分与を行うために容器１４の押出しを行うためにハウジングの頂部表面がたわむことに適応する。
【００１６】
図１−図３に更に示されているように、頂部ハウジングである半割体１２ａには窓又は開口３８が設けられ、この窓又は開口にはハウジング１２の半割体１２ａにより支持されているスライド機構又はスライダー４２の親指状パッド４０を露出せしめる。図示されているように、スライダー４２はその後部端に一対のばねアーム４４を有し、これらのばねアームはピン４６の手段により拘束され、ピン４６は、図示されているようにこれらのばねアーム４４に当接されているか、又はこれらのばねアーム４４の一端に形成した穴を貫通して固定ピン係合とされている。窓３８は、明らかであるように、プッシュ／プル弁２０の完全な開き及び完全な閉じを行うために親指状パッド４０の充分な動きに適応するような大きさ及び形状とされている。
【００１７】
スライダー４２は、更に、親指状パッド４０の部分からばねアーム４４を有する端と反対側の、スライダーの端に設けたカラー５０にまで延びている首部４８を有することを特徴とする。カラー５０は、図４に示されているプッシュ／プル弁２０を支持するような形状とされている。カラー５０にはリム５２が設けられ、このリムは弁２０の頭部５４と中間フランジ５６との間の、弁２０の軸のまわりに受け入れられるような大きさとされている。スライダー４２は、使用者がその親指により力を親指状パッド４０に加えることによりハウジング１２の長手方向、すなわち前後方向へ往復動きをできるようにされている。スライダー４２の前方向への動きは、分与を可能にするためにカラー５０がプッシュ／プル弁２０を開き位置にまで伸長されることを生じさせる。一方、このような力を取り除くことにより、ばねアーム４４がスライダー４２を引っ込まさせ、したがってプッシュ／プル弁２０を閉じ位置に引っ込まさせることを生じさせ、その結果弁２０は通常閉じ位置へ偏倚されている。
【００１８】
ハウジング１２には首部５８が設けられ、この首部を通して、プッシュ／プル弁２０と組み合っているカラー５０が往復動きをできる。
【００１９】
また、分与器１０の一部分としてストラップ６０又は他の適当な接続具又は持運び具が個人使用に適応するために取り付けられている。ストラップ６０は使用者のベルトにくくって又はベルトループを通して身につけるように用いることができ、また、クリップ又は他の適当な接続具も用いることができる。したがって、個人用分与器１０は、所望したときに、使用のためにいつでも容易に用いることができる。
【００２０】
次のことを認識されよう。すなわち、好適な実施例において、容器１４は好適には復元可能なプラスチック材料からモールド成形され、これにより、容器を押しつぶしてその中に収容されている流体を分与することができ、また、その押しつぶし力が取り除かれた後には容器はその通常の形状に復元することができる。本発明は、更に、次のことも意図している。すなわち、ハウジングが同様なフレキシブルなプラスチック材料から作られ、これにより、容器１４を押しつぶすためにハウジング１２をそれ自体押しつぶすことができる。しかしながら、また、ハウジング１２を変形することができない堅いプラスチック材料から作ることも意図している。このような場合において、容器１４の押しつぶしは使用者が自分の親指により力を親指状パッド４０に下向きに加えることにより、又は指により力を窓３４を通して上向きに加えることにより行われる。
【００２１】
次のことは好ましいものである。すなわち、スライダー４２を、ばねアーム４４を含んで、適当なプラスチック材料により一体にモールド成形し、これにより、所望する分与を行うためにばねアーム４４の伸長及び復元と親指状パッド４０のたわみとを可能にする。勿論、他の適当なばね又は戻り機構を用いることもでき、これらも本発明の一部分として考えられるものである。実際に、ばねをスライダー４２と別々に設けることができ、又は、弁を図示しているような親指状パッド４０の後部分ではなくて親指状パッド４０の前方に介在させることができる。
【００２２】
容器１４はクラムシェル形ハウジング１２の空どう３２内に収容されるような大きさ及び形状とされていることは容易に認識されよう。容器１４及び関連するプッシュ／プル弁２０は空どう３２内に簡単に置かれ、弁２０の頭部５４とフランジ５６との間の区域がスライダー４２のカラー５０のリム５２を受け入れる。２つのクラムシェル形半割体１２ａ及び１２ｂは、それから、ラッチ及びキャッチャ機構２８，３０の固定係合を行うために閉じることができ、これにより分与アセンブリを完成せしめる。
【００２３】
当業者は次のことを容易に認識されよう。すなわち、ばねアーム４４はプッシュ／プル弁２０をその閉じ位置へ偏倚せしめ、これにより、親指状パッド４０が解放されたときには、ばねアーム４４がスライダー４２を後方へ引き寄せ、プッシュ／プル弁２０を元に戻して閉じて、容器１４を密閉し、その結果、容器１４の流体の偶然な分与又はしたたりは防止されるであろう。
【００２４】
したがって、簡単で有効な個人用押出し容器型分与器が提供され、このような分与器は容易に用いることができ、かつ、倒立位置につねに維持されているが、分与弁が閉じ位置に連続して自動的に偏倚されているので、流体がしたたることはない。この分与器は、更に、使用者が一方の手で容易に用いることができ、一方の手でプッシュ／プル弁２０を開くことを行うことができるのみならず、また、分与を行うために容器１４を押しつぶすこともできる。
【００２５】
以上述べた説明から、本発明の目的は上述した構成によって達成されることがわかったであろう。また、特許法の規定にしたがって本発明の最良の形態及び好適な実施例についてのみ詳細に述べたけれども、本発明はこのような特定の実施例に又はこれにより限定されるものではない。したがって、本発明の真の範囲を認識するためには、特許請求の範囲の記載を参照すべきである。
【図面の簡単な説明】
【００２６】
【図１】本発明による個人用の押出し容器型分与器の斜視図であって、プッシュ／プル弁が閉じた持運び位置である状態を示す。
【図２】本発明による個人用の押出し容器型分与器の傾斜図であって、プッシュ／プル弁が分与位置である状態を示す。
【図３】本発明において用いられる押出し容器を収容するようにしているクラムシェル形ハウジングの斜視図である。
【図４】本発明において用いられる押出し容器の斜視図であって、プッシュ／プル弁が閉じた持運び位置（実線）及び分与位置（点線）である状態を示す。
【図１】
2009502316.tif 000003
【図２】
2009502316.tif 000004
【図３】
2009502316.tif 000005
【図４】
2009502316.tif 000006
【国際調査報告】
2009502316.tif 000007
2009502316.tif 000008